(57)【要約】【課題】ケーブルとコネクタの位置を正確に決めることができる為、電気的な安定性が望め、ケーブルのドレイン線（グランド）をコネクタのグランドコンタクトに確実に固定できることにより、より安定した電気回路の構成がのぞめるケーブルコネクタを提供すること。【解決手段】ケーブルコネクタ１０は、相手側コネクタに嵌合されるプラグコネクタ２０と、前記プラグコネクタ２０に保持される信号コンタクト２及びグランドコンタクト１と、ケーブル５０を保持するロケータ３０と、ロケータ３０に保持されるグランドプレート３とを備えている。平衡伝送用ケーブル５０は、互いに絶縁された信号線５１とドレイン線５３とを備えている。グランドプレート３は、前記ドレイン線５３と接続され、前記プラグコネクタ２０と、前記ロケータ３０とを係合させることにより、前記グランドプレート３と前記グランドコンタクト１とは、互いに接続し、かつそれぞれが協働して、複数の平衡伝送用ケーブル５０の前記信号線５１の夫々を取り囲むように配設されている。【選択図】　　　図２
2004031257.tif 000002
【特許請求の範囲】
【請求項１】
複数の平衡伝送用ケーブルと接続するケーブルコネクタにおいて、
前記ケーブルコネクタは、相手側コネクタに嵌合されるコネクタと、前記コネクタに保持される信号コンタクト及びグランドコンタクトと、前記ケーブルを保持するロケータと、前記ロケータに保持されるグランドプレートとを備え、
前記平衡伝送用ケーブルは、互いに絶縁された信号線とドレイン線とを備え、
前記グランドプレートは、前記ドレイン線と接続され、
前記コネクタと、前記ロケータとを係合させることにより、前記グランドプレートと前記グランドコンタクトとは、互いに接続し、かつそれぞれが協働して、複数の平衡伝送用ケーブルの前記信号線の夫々を取り囲むように配設されたことを特徴とするケーブルコネクタ。
【発明の詳細な説明】
【０００１】
【発明の属する技術分野】
本発明は、ケーブルコネクタに関し、詳しくは、コンピュータ、ネットワーク関連等の高速伝送用アプリケーションに使用される高速平衡伝送用ケーブルに用いられるコネクタに関する。
【０００２】
【従来の技術】
従来、この種の高速平衡伝送用ケーブルに用いられるプラグコネクタ（以下、単にケーブルコネクタと呼ぶ）として、特開２０００−６８００７号公報（以下、単に従来技術と呼ぶ）に開示されたものがある。
【０００３】
図７は従来技術によるケーブル付き平衡伝送用コネクタ１１０を示す図である。図８は図７のケーブル付き平衡伝送用コネクタ１１０の分解組立斜視図である。図９は図７のＩＸ−ＩＸ線断面図である。図１０は図１のサブ組立体を示す斜視図である。
【０００４】
図７に示すように、ケーブル付き平衡伝送用コネクタ１１０は、平衡伝送用ケーブル１３０の両端に平衡伝送用コネクタ１１１、１１２を有する。一端のコネクタ１１１をパーソナルコンピユータの平衡伝送用ジャック１２０に接続され、他端のコネクタ１１２を周辺機器の平衡伝送用ジャックに接続されて使用され、パーソナルコンピュータと周辺機器との間を接続する。
【０００５】
ケーブル付き平衡伝送用コネクタ１１０は、図８に分解して併せて示すように、平衡伝送用ケーブル１３０の端部と、平衡伝送用プラグ１４０と、中継基板１５０と、シールドカバー１８０と、かしめリング１９５とを有し、図９及び図１０に示すように、サブ組立体２００をシールドカバー１８０が覆う構造である。
【０００６】
サブ組立体２００は、中継基板１５０のＹ１方向端に平衡伝送用プラグ１４０が取り付けられ、Ｙ２方向端に平衡伝送用ケーブル１３０が半田付けされて接続されている。
【０００７】
平衡伝送用ジャック１２０は、合成樹脂製の箱形状のハウジング１２１内に、対をなす２つのジャック側信号コンタクト１２２−１，１２２−２と、グランドコンタクト１２３とが、Ｘ１，Ｘ２方向上、交互に並んで組み込まれている。また、Ｙ１，Ｙ２方向の両面側に図示しない長方形状のシールド板が組み込まれている。この平衡伝送用ジャック１２０は、パーソナルコンピュータ内の図示しないプリント基板に実装される。なお、信号コンタクト１２２−１，１２２−２は、プリント基板の信号パターンと電気的に接続され、グランドコンタクト１２３及び図示しないシールド板はプリント基板のグランドと電気的に接続されている。
【０００８】
平衡伝送用プラグ１４０は、合成樹脂製の箱形状のハウジング１４１内に、対をなす第１、第２の信号コンタクト１４２−１，１４２−２と、グラントコンタクト１４３とが、平衡伝送用ジャック１２０に対応したピッチで交互に並んで組み込まれている。
【０００９】
第１、第２の信号コンタクト１４２−１，１４２−２は、夫々ハウジング４１外に突き出た脚部１４２−１ａ，１４２−２ａを有する。脚部１４２−１ａ，１４２−２ａは、Ｖ字形状であり、平衡伝送用プラグ１４０の中心線１４４に関して対称であり、中継基板１５０をはさみ込むことか可能である。脚部１４２−１ａの長さと脚部１４２−２ａの長さとは等しい。第１の信号コンタクト１４２−１の端Ａ１から脚部１４２−１ａの先端Ｂ１までの第１の信号コンタクト１４２−１に沿う長さと、第２の信号コンタクト１４２―２の端Ａ２から脚部１４２−２ａの先端Ｂ２までの第２の信号コンタクト１４２−２に沿う長さとは等しい。
【００１０】
また、グランドコンタクト１４３は、図示しない２つの脚部を有する。脚部は、Ｙ１方向へ向かうにつれて収斂するように延在しており、中継基板１５０をはさみ込むことが可能である。
【００１１】
また、図１０に示すように、ハウジング１４１は、四つのコーナ部からＹ１方向に突き出た腕１４５を有する。各腕１４５は、係止爪１４５ａを有する。
【００１２】
平衡伝送用ケーブル１３０は、同心円状に形成された、外周側から順に、外被覆部、電線群用遮蔽網線１３４、押さえ巻き部、８本の電線１３１−１〜３１−８、充填部を有する。
【００１３】
各電線１３１−１〜１３１−８は、平衡信号伝送用の対をなす第１、第２の被覆導線１３６−１、１３６−２と、これを覆う導線用遮蔽網線１３７と押さえ巻き部とよりなる。
【００１４】
第１、第２の被覆導線１３６−１、１３６−２は、第１、第２の導線１３９−１、１３９−２と被覆部とよりなる。
【００１５】
中継基板１５０は、長い長方形であり、表面層、裏面層、第１の内層、第２の内層とよりなる四層構造である。表面層及び裏面層のＹ１方向端側には、導線用遮蔽網線１３７が半田付けされるグランドランド１５５、１５６が形成されている。表面層のＹ１方向端側には、信号パッドとグランドパッドとが信号パッド１５７−１，グラントパッド１５８−１、信号パッド，グランドパッド‥の順で交互にＸ１，Ｘ２方向で並んでいる。裏面層のＹ１方向端側には、同じく、信号パッドとグラントパッドとが信号パッド１５９−１，グランドパッド１６０−１、信号パッド１５９―２，グランドパッド１６０−２の順で交互にＸ１，Ｘ２方向で並んでいる。信号パッド１５７−１と信号パッド１５９−１とが対をなし、信号パッド１５７−１に隣有うもう一つの信号パッドと信号パッド１５９−１に隣り合う信号パッドとが対をなす。
【００１６】
信号パッドは８対有り、一方のグランドパッドはグラントランド１５５と接続してあり、他方のグランドパッドはクランドランド１５６と接続されている。
【００１７】
中継基板１５０のＹ１，Ｙ２方向の略中央には、表面層に、２つで対をなす８つの導線用パッド１６１−１，１６１−２‥１６１−８がＸ１，Ｘ２方向で並んで形成され、隣り合う２つの導線用パッド１６１−１，１６１−２が第１の対をなす。隣り合う２つの導線用パッド１６１−３，１６１−４か第２の対をなす。同じく、裏面層に、２つで対をなす８つの導線用パッド１６２−１，がＸ１，Ｘ２方向で並んで形成されている。同じく、隣り合う２つの導線用パッド１６２−１が対をなす。
【００１８】
対をなす導線用パッドと対をなす信号パッドとが、夫々配線で接続されている。具体的には、導線用パッド１６１−２と信号パッド１５７−１との間が，ビア及び第１の内層上に設けられた配線パターンとによって接続されている。また、導線用パッド１６１−１と信号パッド１５９−１との間も同様に、ビア及び第２の内層上に設けられた配線パターンによって接続されており、これらの配線の長さはほぼ等しく形成されている。
【００１９】
図８に示すように、シールドカバー１８０は、金属板をプレス加工した中空の略四角柱形状を備え、中空の略四角柱形状の本体１８１と、この本体１８１のＹ２方向端のＺ１，Ｚ２方向の縁よりＹ２方向に張り出したシールド板部１８２、１８３と、同じく本体１８１のＹ２方向端のＸ１，Ｘ２方向の縁よりＹ２方向に張り出したロック腕部１８４、１８５と、本体１８１のＹ１方向端のＺ１，Ｚ２方向の縁よりＹ１方向に張り出たシールド用腕部１８６、１８７と、本体１８１のＹ２方向端寄りに形成してある係合開口１８８とよりなる。
【００２０】
図１０に示すように、サブ組立体２００は、中継基板１５０のＹ２方向端に平衡伝送用プラグ１４０が取り付けられ、中継基板１５０のＹ１方向端に平衡伝送用ケーブル１３０が接続されている。平衡伝送用プラグ１４０は、図９に示すように、第１、第２の信号コンタクト１４２−１，１４２−２のＶ字形状の脚部１４２−１ａ，１４２−２ａ、及びグランドコンタクト１４３の２つの脚部が、中継基板１５０を弾性的に挟んだ状態で、且つ、脚部１４２−１ａが信号パッド１５７−１と、脚部１４２−２ａが信号パッド１５９−１と、グランドコンタクト１４３の一方の脚部がクランドパッド１５８−１と、グランドコンタクト１４３の他方の脚部がグラントパッド１６０−１と夫々半田付けされて取り付けられている。
【００２１】
中継基板１５０は、平衡伝送用プラグ１４０の中心線１４４の延長線上に位置している。
【００２２】
平衡伝送用ケーブル１３０の端は、図８に示すように処理してある。電線群用遮蔽網線１３４が露出され、８本の電線１３１−１〜１３１−８が引き出されている。各電線１３１−１〜１３１−８は導線用遮蔽網線１３７が露出され、第１，第２の被覆導線１３６−１，１３６−２が引き出され、先端側の被覆部が剥離されて第１，第２の導線１３９−１，１３９−２が露出している。
【００２３】
引き出されている８本の電線１３１−１〜１３１−８は、平衡伝送用ケーブル１３０の中心を通る水平面１２８をもって４本の電線１３１−１〜１３１−４と４本の電線１３１−５〜１３１−８とに分けられ、４本の電線１３１−１〜１３１−４は整列されて中継基板１５０の表面層側に導かれており、４本の電線１３１−５〜１３１−８は整列されて中継基板１５０の裏面層側に導かれている。
【００２４】
４本の電線１３１−１〜１３１−４については、Ｘ１，Ｘ２方向に並んでおり、各導線用遮蔽網線１３７がグランドランド１５５に半田付けされて中継基板１５０に接続してある。電線１３１−１から延びている第１，第２の被覆導線１３６−１，１３６−２は、中継基板１５０の裏面層に沿ってＹ２方向に延びており、第１の導線１３９−１は導線用パッド１６１−２と半田付けされており、第２の導線１３９−２は導線用パッド１６１−１と半田付けされている。他の電線１３１−２〜１３１−４についても、上記の電線１３１−１と同じく、被覆導線が整列されており、且つ半田付けされている。裏面側の４本の電線１３１−５〜１３１−８についても、同じく、各導線用遮蔽網線１３７がグランドランド１５６と半田付けされて中継基板１５０に接続してあり、被覆導線か整列されて、先端の導線か導線用パッド１６１−２等と半田付けされている。
【００２５】
【発明が解決しようとする課題】
しかしながら、従来技術によるコネクタでは、プラグコネクタと平衡伝送ケーブルの固定の為に、基板を使用しケーブルを基板に半田付けしさらに、基板をコネクタのコンタクトに半田付けを行っていた為、ケーブルの整列の乱れによる電気的特性の劣化、または、基板を使用すること自体による減衰等が否めなかった。
【００２６】
そこで、本発明の一技術的課題は、ケーブルとコネクタの位置を正確に決めることができる為、電気的な安定性が望めるケーブルコネクタを提供することにある。
【００２７】
また、本発明のもう一つの技術的課題は、ケーブルのドレイン線（グランド）をコネクタのグランドコンタクトに確実に固定できることにより、より安定した電気回路の構成がのぞめるケーブルコネクタを提供することにある。
【００２８】
また、本発明のさらにもう一つの技術的課題は、クロストークの削減及びインピーダンスの整合を可能とし、高速伝送に対応することが望めるケーブルコネクタを提供することにある。
【００２９】
また、本発明の他の一つの技術的課題は、コネクタ側とケーブル側の半田部のインピーダンス不整合、及び中継基板自体による減衰を除去することができるケーブルコネクタを提供することにある。
【００３０】
さらに、本発明の別の技術的課題は、ケーブルを整列させることが出来る為、組み立てもしくは半田付け作業の分業化ができコストダウンが望めるケーブルコネクタを提供することにある。
【００３１】
【課題を解決するための手段】
本発明によれば、複数の平衡伝送用ケーブルと接続するケーブルコネクタにおいて、前記ケーブルコネクタは、相手側コネクタに嵌合されるコネクタと、前記コネクタに保持される信号コンタクト及びグランドコンタクトと、前記ケーブルを保持するロケータと、前記ロケータに保持されるグランドプレートとを備え、前記平衡伝送用ケーブルは、互いに絶縁された信号線とドレイン線とを備え、前記グランドプレートは、前記ドレイン線と接続され、前記コネクタと、前記ロケータとを係合させることにより、前記グランドプレートと前記グランドコンタクトとは、互いに接続し、かつそれぞれが協働して、複数の平衡伝送用ケーブルの前記信号線の夫々を取り囲むように配設されたことを特徴とするケーブルコネクタが得られる。
【００３２】
【発明の実施の形態】
以下、本発明の実施の形態について図面を参照しながら説明する。
【００３３】
図１は本発明の実施の形態によるケーブルコネクタを示す斜視図である。図２（ａ）は図１のケーブルコネクタの分解組立斜視図、図２（ｂ）は図２（ａ）のプラグコネクタの斜視図、図２（ｃ）は図２（ａ）のロケータの斜視図である。
【００３４】
図３（ａ）は本発明の実施の形態によるケーブルコネクタを示す背面図、図３（ｂ）は図３（ａ）のケーブルコネクタの平面図、図３（ｃ）は図３（ａ）のケーブルコネクタの正面図、図３（ｄ）は図３（ａ）のケーブルコネクタの側面図、図３（ｅ）はケーブルコネクタの図３（ｂ）のＡ部分の変形例を示す部分拡大図である。図４（ａ）は図３（ｃ）のＩＶＡ−ＩＶＡ線に沿う断面図、図４（ｂ）は図３（ｃ）のＩＶＢ−ＩＶＢ線断面図、図４（ｃ）は図４（ｂ）のＩＶＣ−ＩＶＣ線断面図、図４（ｄ）はケーブルコネクタの図４（ａ）のＢ部分の変形例を示す拡大断面図である。図５は図１のケーブルコネクタの信号コンタクトを主に示す断面図である。図６は図１のケーブルコネクタのグランドコンタクトを主に示す断面図である。
【００３５】
図１を参照すると、本発明の実施の形態によるケーブルコネクタ１０は、平衡伝送ケーブル用プラグコネクタであり、図示しない電気機器等のソケットコネクタに嵌合されるプラグコネクタ２０と、平衡伝送ケーブル（以下、単にケーブルと呼ぶ）５０を整列して接続するロケータ３０とを互いに嵌め合わせて、互いに電気接続してなる。ここで、説明の便宜上、ケーブルコネクタ１０の電子機器と接合される側を前方及びケーブル５０と接続される側を後方と呼び、同様に、嵌合方向に沿うプラグコネクタ２０の先端側を前方、ロケータ３０と嵌合側を後方と夫々呼び、また、ロケータ３０のプラグコネクタ２０との嵌合側を前方、ケーブル５０が設けられる側を後方と呼ぶ。ここで、本発明の実施の形態において用いられるケーブル５０は、平衡伝送用シールド被覆付き対ケーブルと呼ばれ、芯線をなす一対の信号線５１とその周囲を夫々覆う断面円形の絶縁部５２と、その周囲に設けられたドレイン線５３と、それらの周囲を覆う図示しない編組線等のシールド部とを備え、それらの周囲は絶縁性のチューブからなる外皮によって覆われている。
【００３６】
図２（ａ）及び（ｂ）を参照すると、プラグコネクタ２０は、インシュレータ５の前方に突出した嵌合部６の表裏面に、グランドコンタクト１と、信号コンタクト２とを、夫々の接触部が交互に幅方向並んで露出するように、インシュレータ５に収容して構成されている。
【００３７】
インシュレータ５は、両側が後方に突出して、内部に凹部７を形成する突出部５ｂ，５ｂを備え、この突出部５ｂはさらに突出し、後に述べるように、ロケータ３０の両側に設けられた位置決め孔部１２に嵌合する断面長円状の位置決め突起部５ａを備えている。また、インシュレータ１１の前方に突出して、コンタクト１，２の接触部が交互に並んで露出する嵌合部６が設けられている。
【００３８】
図２（ａ）及び（ｃ）を参照すると、ロケータ３０は、角型のインシュレータ１１と、このインシュレータ１１内の上面及び下面寄りに保持される上下一対の略長方形のグランドプレート３とを備えている。
【００３９】
インシュレータ１１には、縦方向に長く、幅方向に並んで設けられたコンタクト嵌合孔１５を備えている。また、上下には、グランドプレート３が夫々装着されるグランドプレート収容孔１３を備えている。また、インシュレータ１１の両側には、前後方向に貫通する断面長円状の位置決め孔部１２が夫々設けられ、プラグコネクタの位置決め突起部５ａ，５ａと夫々嵌合する。
【００４０】
また、図３（ａ）に最も良く示されるように、インシュレータ１１の後側には、ドレイン線５３を備えたケーブル５０を収容する長円断面の孔部からなるケーブル収容部１７が設けられている。このケーブル収容部１７は、ケーブルの夫々の外皮を収容するケーブル挿入孔１７ａと、この挿入孔１７ａからロケータ３０の前方まで貫通した信号線案内孔１４を備えている。また、上下のいずれか一方には、収容されたグランドプレート後端部を露出する溝１７ｂが形成されている。
【００４１】
図２（ａ）、図３（ｂ）、図４（ａ）及び（ｂ），図６を参照すると、グランドコンタクト１は、上下互いに並んで前方向に延びる一対の接触部１ａ，１ａと、プラグコネクタ２０のインシュレータ５に支持されるプラグ支持部１ｃと、プラグ支持部１ｃに設けられ、２つの接触部間の隙間から連続して設けられた切り込み１ｂと、プラグ支持部１ｃから連続して設けられた連結部１ｄと、連結部に連続するとともに、ロケータ３０内に収容されるロケータ支持部１ｅと、ロケータ支持部１ｅの上下端に後方に突出して設けられた突出部１ｆとを備えている。
【００４２】
グランドコンタクト１の接触部１ａは、プラグコネクタ２０の嵌合部６の上下に形成されたコンタクト収容溝６ａに収容されるとともに、プラグ支持部１ｃは、コンタクト収容部５ｂに収容される。ここで、嵌合部は収容部の後端まで延在しており、切り込み部１ｂがこれを挟み込む構成となっている。
【００４３】
また、ロケータ支持部１ｅはロケータ３０内に収容されるとともに、グランドプレート３に設けられた切り込み溝に突出部及びロケータ支持部間が互いに挿入される構成となっている。
【００４４】
また、図２（ｃ）、図３（ａ）、（ｂ）、図４（ｂ），（ｃ），及び図５を参照すると、信号コンタクト２は、プラグコネクタの嵌合部の上下に、コンタクト収容溝６ａに並んで設けられたコンタクト収容溝６ｂに収容されている。信号コンタクトの後端は、ロケータ３０内に収容されたケーブル５０のロケータ３０の前端から前方に突出した信号線５１と互いに接触する構成となっている。
【００４５】
また、グランドプレート３は矩形状で、前方及び後方に夫々切り込みによって設けられた切込み溝３ａ，３ｂを備えている。これらの切り込み溝３ａ，３ｂは、前後において、幅方向に互い違いの位置となるように、即ち、前方の切り込み溝は、グランドコンタクト１の位置に、後方の切り込み溝３ｂは収容されたケーブルのドレイン線の位置となるように、形成されている。
【００４６】
この前方の切り込み溝３ａは、図３（ｂ）及び図４（ａ）に示すように、グランドコンタクト１の後方と嵌合する。一方、後方の切り込み溝３ｂは、図３（ｂ）及び図４（ｂ）に示すように、ケーブル５０のドレイン線５３が挿入される。
【００４７】
このような構成のコネクタを組み立てるには、図２（ａ）に示すように、プラグコネクタ２０のインシュレータ５にグランドコンタクト１及び信号コンタクト２を夫々収容する。
【００４８】
次に、ロケータ３０のインシュレータ１１に、前方からグランドプレート３を挿入する。その際にグランドプレート３は、インシュレータ１１の上面の四角形の窪み部１７内に上面を覗かせるように装着される。更に，ケーブル収容孔１７にケーブル５０を挿入する。ここで、ケーブル５０は、信号線５１の周囲に絶縁部５２を備え、その周囲には、編組線等のグランドが設けられ、その一部にドレイン線５３が設けられており、図４（ｂ）に示すように、先端においては、絶縁部５２が切り取られて芯線である信号線５１が突出しており、また、グランド部が絶縁部５２から距離５４だけ、取り除かれた構成である。
【００４９】
したがって、ケーブル収容孔１７にケーブル５０を挿入した状態では、グランドプレート３の溝３ｂ内にドレイン線５２が差し込まれ、また、ガイド孔１４から前方に信号線５１が露出して突出した形状となる。
【００５０】
次に、ロケータ３０の位置決め孔１２とプラグコネクタ２０の突起部５ａを合わせるように後方に露出したグランドコンタクト１の後端がロケータの挿入穴１５に差し込まれて、図４（ａ）に示すように、グランドプレート３とグランドコンタクト１とが接触するとともに、信号線５１と信号コンタクト２の後端とが接触する。
【００５１】
ここで、図４（ａ）に示すように、グランドプレート３とグランドコンタクト１との接触部に半田付けが施されて固定する。
【００５２】
しかし、図４（ｄ）の変形例に示すように、コンタクトの突出片をバネ片のように接続して機械的接触のみでも接続しても良い。
【００５３】
また、図４（ｂ）に示すように、グランドプレート３とドレイン線５２の接合は半田付けが施されて固定されるが、図３（ｅ）の変形例に示すように、グランドプレート３の溝３ｂにバネ片３ｃを設けて、機械的に挿入するだけで接続しても良い。
【００５４】
以上説明したように、本発明の実施の形態においては、簡易にしかも確実に接続でき、且つ電気的特性にも優位性をもたせることができるロケータ３０及びプラグコネクタ２０と、これらを備えて構成されるケーブルコネクタを提供することができる。
【００５５】
また、本発明の実施の形態において、コネクタ部分として、プラグコネクタを例に挙げて説明したが、嵌合部６の形状が凸部では無く、凹部形状のレセプタクルコネクタにも適合できることは言うまでもない。
【００５６】
【発明の効果】
以上説明したように、本発明によれば、ケーブルとコネクタの位置を正確に決めることができる為、電気的な安定性が望めるケーブルコネクタを提供することができる。
【００５７】
また、本発明によれば、ケーブルのグランドとなるドレイン線をグランドプレートを介しコネクタのグランドコンタクトに確実に固定できることにより、より安定した電気回路の構成がのぞめるケーブルコネクタを提供することができる。
【００５８】
また、本発明によれば、ケーブルを剥いだ後のグランド無し部をグランドプレート及びグランドコンタクトで囲むことができ、クロストークの削減及びインピーダンスの整合が可能なことから、高速伝送に対応することが望めるケーブルコネクタを提供することができる。
【００５９】
また、本発明によれば、基板を介在しないことにより、コネクタ側とケーブル側の半田部のインピーダンス不整合、及び基板自体の減衰を除去することができるケーブルコネクタを提供することができる。
【００６０】
さらに、本発明によれば、ロケータによりケーブルを整列させることが出来る為、組み立てまたは半田付け作業の分業化ができコストダウンが望めるケーブルコネクタを提供することができる。
【図面の簡単な説明】
【図１】本発明の実施の形態によるケーブルコネクタを示す斜視図である。
【図２】（ａ）は図１のケーブルコネクタの分解組立斜視図である。
（ｂ）は（ａ）のプラグコネクタの斜視図である。
（ｃ）は（ａ）のロケータの斜視図である。
【図３】（ａ）は本発明の実施の形態によるケーブルコネクタを示す背面図である。
（ｂ）は（ａ）のケーブルコネクタの平面図である。
（ｃ）は（ａ）のケーブルコネクタの正面図である。
（ｄ）は（ａ）のケーブルコネクタの側面図である。
（ｅ）はケーブルコネクタの（ｂ）のＡ部分の変形例を示す部分拡大図である。
【図４】（ａ）は図３（ｃ）のＩＶＡ−ＩＶＡ線に沿う断面図である。
（ｂ）は図３（ｃ）のＩＶＢ−ＩＶＢ線断面図である。
（ｃ）は図４（ｂ）のＩＶＣ−ＩＶＣ線断面図である。
（ｄ）はケーブルコネクタの図４（ａ）のＢ部分の変形例を示す拡大断面図である。
【図５】図１のケーブルコネクタの信号コンタクトを主に示す断面図である。
【図６】図１のケーブルコネクタのグランドコンタクトを主に示す断面図である。
【図７】従来技術によるケーブル付き平衡伝送用コネクタ１１０を示す図である。
【図８】図７のケーブル付き平衡伝送用コネクタ１１０の分解組立斜視図である。
【図９】図７のＩＸ−ＩＸ線断面図である。
【図１０】図１のサブ組立体を示す斜視図である。
【符号の説明】
１　　グランドコンタクト
１ａ　　接触部
１ｂ　　切り込み
１ｃ　　プラグ支持部
１ｄ　　連結部
１ｅ　　ロケータ支持部
１ｆ　　突出部
２　　信号コンタクト
３　　グランドプレート
３ａ，３ｂ　　切込み溝
３ｃ　　バネ片
５　　インシュレータ
５ａ　　突起部
５ｂ　　突出部
６　　嵌合部
６ａ，６ｂ　　コンタクト収容溝
７　　凹部
１０　　ケーブルコネクタ
１１　　インシュレータ
１２　　位置決め孔部
１３　　グランドプレート収容孔
１４　　信号線案内孔
１５　　コンタクト嵌合孔
１７　　ケーブル収容部
１７ａ　　ケーブル挿入孔
１７ｂ　　溝
２０　　プラグコネクタ
３０　　ロケータ
５０　　平衡伝送ケーブル（ケーブル）
５１　　信号線
５２　　絶縁部
５３　　ドレイン線
１１０　　ケーブル付き平衡伝送用コネクタ
１１１，１１２　　平衡伝送用コネクタ
１２０　　平衡伝送用ジャック
１２１　　ハウジング
１２２−１，１２２−２　　ジャック側信号コンタクト
１２３　　グランドコンタクト
１３０　　平衡伝送用ケーブル
１３１−１〜１３１−８　　電線
１３４　　電線群用遮蔽網線
１３６−１，１３６−２　第１、第２の被覆導線
１３７　　導線用遮蔽網線
１３９−１，１３９−２　　第１、第２の導線
１４０　　平衡伝送用プラグ
１４１　　ハウジング
１４２−１，１４２−２　　第１、第２の信号コンタクト
１４２−１ａ，１４２−２ａ　　脚部
１４３　　グラントコンタクト
１４４　　中心線
１４５　　腕
１４５ａ　　係止爪
１５０　　中継基板
１５５，１５６　　グランドランド
１５７−１　　信号パッド
１５９−１　　信号パッド
１６１−１〜１６１−８　　導線用パッド
１６２−１　　導線用パッド
１８０　　シールドカバー
１８１　　本体
１８２，１８３　　シールド板部
１８４，１８５　　ロック腕部
１８６，１８７　　シールド用腕部
１８８　　係合開口
１９５　　かしめリング
２００　　サブ組立体
【図１】
2004031257.tif 000003
【図２】
2004031257.tif 000004
【図３】
2004031257.tif 000005
【図４】
2004031257.tif 000006
【図５】
2004031257.tif 000007
【図６】
2004031257.tif 000008
【図７】
2004031257.tif 000009
【図８】
2004031257.tif 000010
【図９】
2004031257.tif 000011
【図１０】
2004031257.tif 000012